(57)【要約】      （修正有）【課題】ラックに対して高密度に光配線ユニットを配置する際に、光配線ユニットのラックへの設置作業を容易にする。【解決手段】光コネクタ接続部を備える引き出し部と、前記引き出し部を収容する筐体とを有する光配線ユニットであって、前記光コネクタ接続部に接続される光ファイバケーブルを前記筐体の内部に導入するケーブル導入部８０を有し、前記ケーブル導入部は、前記光ファイバケーブルを固定する可動プレート部８２と、前記可動プレート部を回転可能にするヒンジ機構８３とを備えることを特徴とする光配線ユニットである。【選択図】図３
2019139181.tif 000002
【特許請求の範囲】
【請求項１】
光コネクタ接続部を備える引き出し部と、前記引き出し部を収容する筐体とを有する光配線ユニットであって、
前記光コネクタ接続部に接続される光ファイバケーブルを前記筐体の内部に導入するケーブル導入部を有し、
前記ケーブル導入部は、
前記光ファイバケーブルを固定する可動プレート部と、
前記可動プレート部を回転可能にするヒンジ機構と
を備える
ことを特徴とする光配線ユニット。
【請求項２】
請求項１に記載の光配線ユニットであって、
複数心の光ファイバを有する光ファイバケーブルを、単心の光ファイバケーブル毎に分岐する分岐部を有し、
前記分岐部が、前記可動プレート部に取り付けられている
ことを特徴とする光配線ユニット。
【請求項３】
請求項２に記載の光配線ユニットであって、
前記可動プレート部が、前記引き出し部の引き出し方向に垂直な方向、又は、前記引き出し部の押し込み方向に垂直な方向に対して傾斜して設けられている
ことを特徴とする光配線ユニット。
【請求項４】
請求項１〜３のいずれかに記載の光配線ユニットであって、
前記可動プレート部が回転する軸の方向は、前記引き出し部の引き出し方向に垂直な方向、又は、前記引き出し部の押し込み方向に垂直な方向である
ことを特徴とする光配線ユニット。
【請求項５】
請求項４に記載の光配線ユニットであって、
前記ヒンジ機構は、前記筐体に設けられた筐体側ヒンジ部材と、前記可動プレート部に設けられた一対のプレート側ヒンジ部材とを有し、
前記筐体側ヒンジ部材には、前記可動プレート部が回転する軸である軸部が取り付けられ、
前記一対のプレート側ヒンジ部材は、前記可動プレート部に対して互いに反対側に設けられ、それぞれ前記軸部が挿通している
ことを特徴とする光配線ユニット。
【請求項６】
光コネクタ接続部を備える引き出し部と、前記引き出し部を収容する筐体とを備える光配線ユニットと、
前記光配線ユニットを複数設置することが可能なラックと
を有する光配線ユニット付きラックであって、
前記光配線ユニットは、前記光コネクタ接続部に接続される光ファイバケーブルを前記筐体の内部に導入するケーブル導入部を有し、
前記ケーブル導入部は、
前記光ファイバケーブルを固定する可動プレート部と、
前記可動プレート部を回転可能にするヒンジ機構と
を備える
ことを特徴とする光配線ユニット付きラック。
【請求項７】
請求項６に記載の光配線ユニット付きラックであって、
前記可動プレート部が、前記光配線ユニットを前記ラックに対して設置する方向に垂直な方向に対して傾斜して設けられている
ことを特徴とする光配線ユニット付きラック。
【請求項８】
請求項６又は７に記載の光配線ユニット付きラックであって、
前記可動プレート部が回転する軸の方向は、前記光配線ユニットを前記ラックに対して設置する方向に垂直な方向である
ことを特徴とする光配線ユニット付きラック。
【請求項９】
光コネクタ接続部を備える引き出し部と、前記引き出し部を収容する筐体とを備える光配線ユニットと、
前記光配線ユニットを複数設置することが可能なラックと
を有する光配線ユニット付きラックの製造方法であって、
前記光コネクタ接続部に接続される光ファイバケーブルを前記筐体の内部に導入するケーブル導入部であって、前記光ファイバケーブルを固定する可動プレート部と、前記可動プレート部を回転可能にするヒンジ機構とを備える前記光配線ユニットを準備すること、
前記可動プレート部を回転させることで、前記可動プレート部を前記筐体に対して開いた後、前記光配線ユニットを前記ラックに対して設置すること
を特徴とする光配線ユニット付きラックの製造方法。
【請求項１０】
請求項９に記載の光配線ユニット付きラックの製造方法であって、
前記光配線ユニットを前記ラックに対して設置した後、前記可動プレート部を回転させることで、前記可動プレート部を前記筐体に対して閉じること
を特徴とする光配線ユニット付きラックの製造方法。
【発明の詳細な説明】
【技術分野】
【０００１】
本発明は、光配線ユニットに関する。
【背景技術】
【０００２】
光接続箱や光配線箱等を構成する光配線ユニットとして、複数の光部品収納トレイを筐体内に挿入して収容するものが知られている。光配線ユニットでは、多心の基幹光ファイバケーブルから、単心毎の光ファイバケーブルに分岐される。そして、分岐されたそれぞれの光ファイバケーブルは、各光部品収納トレイの手前側（作業者側）に設けられた複数の光アダプタに接続されている。このような光配線ユニットに関して、例えば、特許文献１には、一つのラック（図１に示すファイバ配分フレーム１１）に対して複数の光配線ユニット（図１に示すファイバ終端ブロック１０１）が配置された光ファイバ配線設備が開示されている。
【先行技術文献】
【特許文献】
【０００３】
【特許文献１】特表２００９−５０３５８１号公報
【発明の概要】
【発明が解決しようとする課題】
【０００４】
特許文献１に記載されているような光ファイバ配線設備では、基幹光ファイバケーブルをそれぞれの光配線ユニット内に導入する導入部の配置による制約を受けて、光配線ユニットを高密度に配置できないことがあった。すなわち、導入部が光配線ユニットの筐体の上面（又は下面）に設けられていた場合、ラックに光配線ユニットを手前側（作業者側）から取り付ける際に、基幹光ファイバケーブルが隣接する配置済みの光配線ユニットと干渉してしまうことがあった。また、導入部が光配線ユニットの筐体の側面（又は背面）に設けられていた場合、基幹光ファイバケーブルを上方（下方）に引き回すために基幹光ファイバケーブルに曲げを加えなければならず、損失を増大させないための十分な曲率を確保する空間が別に必要になってしまう。
【０００５】
本発明は、ラックに対して高密度に光配線ユニットを配置する際に、光配線ユニットのラックへの設置作業を容易にすることを目的とする。
【課題を解決するための手段】
【０００６】
本発明の幾つかの実施形態は、光コネクタ接続部を備える引き出し部と、前記引き出し部を収容する筐体とを有する光配線ユニットであって、前記光コネクタ接続部に接続される光ファイバケーブルを前記筐体の内部に導入するケーブル導入部を有し、前記ケーブル導入部は、前記光ファイバケーブルを固定する可動プレート部と、前記可動プレート部を回転可能にするヒンジ機構とを備えることを特徴とする光配線ユニットである。
【０００７】
本発明の他の特徴については、後述する明細書及び図面の記載により明らかにする。
【発明の効果】
【０００８】
本発明の幾つかの実施形態によれば、ラックに対して高密度に光配線ユニットを配置する際に、光配線ユニットのラックへの設置作業を容易にすることができる。
【図面の簡単な説明】
【０００９】
【図１】図１は、本実施形態のケーブル導入部８０が設けられた光配線ユニット１０の斜視図である。
【図２】図２は、本実施形態のケーブル導入部８０の斜視図である。
【図３】図３Ａは、本実施形態のケーブル導入部８０の正面図である。図３Ｂは、図３ＡのＡ−Ａ線における断面図である。
【図４】図４は、第１比較例のケーブル導入部８０が設けられた光配線ユニット１０の図である。
【図５】図５Ａは、第２比較例のケーブル導入部８０が設けられた光配線ユニット１０の図である。図５Ｂは、第３比較例のケーブル導入部８０が設けられた光配線ユニット１０の図である。
【図６】図６は、本実施形態のケーブル導入部８０が設けられた光配線ユニット１０をラックに取り付ける様子を示す側面図である。
【図７】図７は、本実施形態のケーブル導入部８０が設けられた光配線ユニット１０をラックに取り付ける様子を示す平面図である。
【図８】図８は、本実施形態の変形例のケーブル導入部８０が設けられた光配線ユニット１０をラックに取り付ける様子を示す側面図である。
【発明を実施するための形態】
【００１０】
後述する明細書及び図面の記載から、少なくとも以下の事項が明らかとなる。
【００１１】
光コネクタ接続部を備える引き出し部と、前記引き出し部を収容する筐体とを有する光配線ユニットであって、前記光コネクタ接続部に接続される光ファイバケーブルを前記筐体の内部に導入するケーブル導入部を有し、前記ケーブル導入部は、前記光ファイバケーブルを固定する可動プレート部と、前記可動プレート部を回転可能にするヒンジ機構とを備えることを特徴とする光配線ユニットが明らかとなる。このような光配線ユニットによれば、ラックに対して高密度に光配線ユニットを配置する際に、光配線ユニットのラックへの設置作業を容易にすることができる。
【００１２】
複数心の光ファイバを有する光ファイバケーブルを、単心の光ファイバケーブル毎に分岐する分岐部を有し、前記分岐部が、前記可動プレート部に取り付けられていることが望ましい。これにより、可動プレート部において、基幹光ファイバケーブルから、より曲げやすい単心の光ファイバケーブルに分岐することで、光ファイバケーブルの光配線ユニット内への導入を容易にすることができる。
【００１３】
前記可動プレート部が、前記引き出し部の引き出し方向に垂直な方向、又は、前記引き出し部の押し込み方向に垂直な方向に対して傾斜して設けられていることが望ましい。これにより、光配線ユニットをラックに設置した後においても、光配線ユニットの側面から可動プレート部に取り付けられている分岐部を見やすくすることができる。
【００１４】
前記可動プレート部が回転する軸の方向は、前記引き出し部の引き出し方向に垂直な方向、又は、前記引き出し部の押し込み方向に垂直な方向であることが望ましい。これにより、可動プレート部を開いたまま光配線ユニットをラックへ設置する際に、可動プレート部がラックに対して干渉することを抑制することができる。
【００１５】
前記ヒンジ機構は、前記筐体に設けられた筐体側ヒンジ部材と、前記可動プレート部に設けられた一対のプレート側ヒンジ部材とを有し、前記筐体側ヒンジ部材には、前記可動プレート部が回転する軸である軸部が取り付けられ、前記一対のプレート側ヒンジ部材は、前記可動プレート部に対して互いに反対側に設けられ、それぞれ前記軸部が挿通していることが望ましい。これにより、可動プレート部が、引き出し部の引き出し方向に垂直な方向、又は、引き出し部の押し込み方向に垂直な方向に対して傾斜して設けられると共に、可動プレート部が回転する軸の方向は、引き出し部の引き出し方向に垂直な方向、又は、引き出し部の押し込み方向に垂直な方向とすることができる。
【００１６】
光コネクタ接続部を備える引き出し部と、前記引き出し部を収容する筐体とを備える光配線ユニットと、前記光配線ユニットを複数することが設置可能なラックとを有する光配線ユニット付きラックであって、前記光配線ユニットは、前記光コネクタ接続部に接続される光ファイバケーブルを前記筐体の内部に導入するケーブル導入部を有し、前記ケーブル導入部は、前記光ファイバケーブルを固定する可動プレート部と、前記可動プレート部を回転可能にするヒンジ機構とを備えることを特徴とする光配線ユニット付きラックが明らかとなる。このような光配線ユニット付きラックによれば、ラックに対して高密度に光配線ユニットを配置する際に、光配線ユニットのラックへの設置作業を容易にすることができる。
【００１７】
前記可動プレート部が、前記光配線ユニットを前記ラックに対して設置する方向に垂直な方向に対して傾斜して設けられていることが望ましい。これにより、光配線ユニットをラックに設置した後においても、光配線ユニットの側面から可動プレート部に取り付けられている分岐部を見やすくすることができる。
【００１８】
前記可動プレート部が回転する軸の方向は、前記光配線ユニットを前記ラックに対して設置する方向に垂直な方向であることが望ましい。これにより、可動プレート部を開いたまま光配線ユニットをラックへ設置する際に、可動プレート部がラックに対して干渉することを抑制することができる。
【００１９】
光コネクタ接続部を備える引き出し部と、前記引き出し部を収容する筐体とを備える光配線ユニットと、前記光配線ユニットを複数設置することが可能なラックとを有する光配線ユニット付きラックの製造方法であって、前記光コネクタ接続部に接続される光ファイバケーブルを前記筐体の内部に導入するケーブル導入部であって、前記光ファイバケーブルを固定する可動プレート部と、前記可動プレート部を回転可能にするヒンジ機構とを備える前記光配線ユニットを準備すること、前記可動プレート部を回転させることで、前記可動プレート部を前記筐体に対して開いた後、前記光配線ユニットを前記ラックに対して設置することを特徴とする光配線ユニット付きラックの製造方法が明らかとなる。このような光配線ユニット付きラックの製造方法によれば、ラックに対して高密度に光配線ユニットを配置する際に、光配線ユニットのラックへの設置作業を容易にすることができる。
【００２０】
前記光配線ユニットを前記ラックに対して設置した後、前記可動プレート部を回転させることで、前記可動プレート部を前記筐体に対して閉じることが望ましい。これにより、ラックに対して高密度に光配線ユニットを配置する際に、光配線ユニットのラックへの設置作業を容易にすることができる。
【００２１】
＝＝＝本実施形態＝＝＝
＜光配線ユニット１０の全体構成＞
図１は、本実施形態のケーブル導入部８０が設けられた光配線ユニット１０の斜視図である。
【００２２】
以下の説明では、図に示すように各方向を定義する。すなわち、光配線ユニット１０の筐体１１に対して引き出し部１２を移動（引き出し又は押込み）させる方向を「前後方向」とし、引き出し部１２を引き出す側を「前」とし、逆側（引き出し部１２を押し込む側）を「後」とする。なお、前後方向のことを「引き出し方向」又は「押し込み方向」と呼ぶことがある。また、引き出し部１２において複数の光コネクタアダプタ１６（以下、単に「光アダプタ１６」と呼ぶことがある）が配列される方向を「上下方向」とし、引き出し部１２において光ファイバケーブル保持具２０が設けられる側を「下」とし、逆側を「上」とする。また、前後方向及び上下方向に垂直な方向を「左右方向」とし、前から後を見た時の右側を「右」とし、逆側を「左」とする。なお、左右方向は、複数の引き出し部１２が配列される方向でもある。
【００２３】
光配線ユニット１０は、複数心を有する基幹光ファイバケーブルを単心毎の光ファイバケーブルに分岐すると共に、分岐された単心の各光ファイバケーブルの端部がコネクタ接続可能に成端された装置である。光配線ユニット１０は、光接続箱と呼ぶことがある。さらに、光配線ユニット１０は、光成端箱又は光配線箱と呼ぶこともある。図１に示すように、本実施形態では、光配線ユニット１０の後部に設けられた分岐部２により、複数心を有する基幹光ファイバケーブル１が単心毎の内部側光ファイバケーブル３に分岐されている。さらに、分岐された内部側光ファイバケーブル３の束は、光配線ユニット１０の筐体１１の内部に導入され、筐体１１の内部において各内部側光ファイバケーブル３の端部が光アダプタ１６にそれぞれ接続されている（不図示）。なお、各内部側光ファイバケーブル３の端部には、内部側光コネクタプラグ４（以下、単に「内部側光プラグ４」と呼ぶことがある）が設けられており、各内部側光プラグ４が光アダプタ１６に接続されている。そして、内部側光プラグ４が接続された光アダプタ１６に対して、筐体１１の外部側から作業側光コネクタプラグ５（以下、単に「作業側光プラグ５」と呼ぶことがある）が挿抜されることにより、内部側光ファイバケーブル３と作業側光ファイバケーブル６との接続を切り替え可能にすることができる。図１に示すように、作業側光ファイバケーブル６の束は光配線ユニット１０の下方に引き回されている。
【００２４】
光配線ユニット１０は、筐体１１と、複数の引き出し部１２と、スライド機構５０とを有する。
【００２５】
筐体１１は、複数の引き出し部１２及びスライド機構５０を収容する部材である。また、筐体１１は、不図示のラックに取り付けられることで、光配線ユニット１０を固定する部材でもある。筐体１１の前側の面が設けられず開口していることにより、後述する引き出し部１２を筐体１１に対して前側に引き出すことができる。なお、複数の引き出し部１２が全て押込み状態（後述）の際に、筐体１１の前側の面を覆うように不図示の蓋部材が設けられてもよい。
【００２６】
引き出し部１２は、複数（ここでは６個）の光アダプタ１６（後述）を保持する部材である。図１に示すように、引き出し部１２は左右方向に垂直な板状に形成されている。引き出し部１２は、光アダプタ１６を有しており、引き出し部１２の前側に複数の光アダプタ１６が配列されている。本実施形態の光配線ユニット１０では、１２個の引き出し部１２が左右方向に配列されている。但し、本実施形態の光配線ユニット１０における引き出し部１２の配列方向や数はこの限りではない。なお、引き出し部１２の上下の両端にはスライド機構５０がそれぞれ設けられている。これにより、引き出し部１２は、筐体１１に対して移動（引き出し又は押込み）することが可能である。
【００２７】
図１では、光配線ユニット１０が有する複数の引き出し部１２のうち、左から２番目の引き出し部１２が引き出されている。このように、引き出し部１２が引き出された状態を「引き出し状態」と呼ぶことがある。また、図１に示すように、光配線ユニット１０が有する複数の引き出し部１２のうち、左から２番目の引き出し部１２以外の引き出し部１２は引き出されていない。このように、引き出し部１２が引き出されていない状態を「初期状態」又は「押込み状態」と呼ぶことがある。引き出し状態となっている引き出し部１２では、光アダプタ１６（後述）が他の引き出し部１２の光アダプタ１６よりも前側に引き出されているので、作業者は、光アダプタ１６に対する作業側光プラグ５の挿抜作業を容易に行うことができる。そして、引き出し状態となっている引き出し部１２を押し込むと、再び初期状態（又は押込み状態）となる。
【００２８】
光アダプタ１６は、光配線ユニット１０の内外の光ファイバケーブルをコネクタ接続可能にする部材である。図１に示すように、本実施形態では、光アダプタ１６を介して内部側光プラグ４と作業側光プラグ５とが接続されることにより、筐体１１内の内部側光ファイバケーブル３と筐体１１外の作業側光ファイバケーブル６とがコネクタ接続されている。なお、光アダプタ１６のことを「光コネクタ接続部１６」と呼ぶことがある。図１に示すように、本実施形態の光配線ユニット１０における引き出し部１２は複数（ここでは６個）の光アダプタ１６を有する。そして、光アダプタ１６は４心タイプの光アダプタである。このため、引き出し部１２は上下方向に計２４個の作業側光プラグ５（又は内部側光プラグ４）の接続口を有する。但し、光アダプタ１６や接続口の配列方向や数はこの限りではない。
【００２９】
スライド機構５０は、引き出し部１２を前後方向に移動可能にする部材である。スライド機構５０の固定側レールが筐体１１に取り付けられ、スライド機構５０の可動側レールが引き出し部１２に取り付けられている。可動側レールが固定側レールに対して前後方向に移動することで、引き出し部１２が筐体１１に対して前後方向に移動することができる。なお、スライド機構５０は、引き出し部１２の上下に一対ずつ設けられている。
【００３０】
本実施形態では、光配線ユニット１０は、光ファイバケーブル保持具２０と、配線識別ユニット４０と、連結機構６０と、ケーブル導入部８０とをさらに有する。
【００３１】
光ファイバケーブル保持具２０は、複数の光ファイバケーブルを束ねて保持する部材である。図１に示すように、本実施形態の光ファイバケーブル保持具２０は、引き出し部１２の下部に取り付けられている。そして、引き出し部１２の光アダプタ１６に接続され、下方に垂れ下がった複数の作業側光ファイバケーブル６を束ねて保持している。前述したように、引き出し部１２は上下方向に計２４個の作業側光プラグ５の接続口を有しているため、光ファイバケーブル保持具２０は、最大で２４本の作業側光ファイバケーブル６を束ねて保持することができる。但し、光ファイバケーブル保持具２０が保持できる作業側光ファイバケーブル６の数はこの限りではない。また、例えば光ファイバケーブル保持具２０が筐体１１の内部に取り付けられることにより、複数の内部側光ファイバケーブル３を束ねて保持してもよい。さらに、光ファイバケーブル保持具２０は、作業側光ファイバケーブル６や内部側光ファイバケーブル３以外の複数の光ファイバケーブルを束ねて保持してもよい。
【００３２】
配線識別ユニット４０は、光ファイバケーブルの束を識別する部材である。図１に示すように、本実施形態の配線識別ユニット４０は、筐体１１の内部に設けられた固定部材１３に取り付けられている。そして、引き出し部１２の光アダプタ１６に接続された複数の内部側光ファイバケーブル３を束ねて保持している。但し、図１では、配線識別ユニット４０が複数の内部側光ファイバケーブル３を束ねて保持する様子の図示を省略している。また、配線識別ユニット４０の識別部４２に設けられた識別マーク４４により、引き出し部１２毎に内部側光ファイバケーブル３の束を識別することができる。なお、前述したように、引き出し部１２は上下方向に計２４個の内部側光プラグ４の接続口を有しているため、配線識別ユニット４０は、最大で２４本の内部側光ファイバケーブル３を束ねて保持することができる。但し、配線識別ユニット４０が保持できる内部側光ファイバケーブル３の数はこの限りではない。また、例えば配線識別ユニット４０が筐体１１の外部に取り付けられることにより、複数の作業側光ファイバケーブル６を束ねて保持してもよい。さらに、配線識別ユニット４０は、作業側光ファイバケーブル６や内部側光ファイバケーブル３以外の複数の光ファイバケーブルを束ねて保持してもよい。
【００３３】
連結機構６０は、光配線ユニットの引き出し部を光配線ユニットの筐体に対して取り外し可能にする部材である。図１に示すように、本実施形態の連結機構６０は、引き出し部１２とスライド機構５０との間に設けられている。また、連結機構６０は、引き出し部１２の上下に一対ずつ設けられている。
【００３４】
ケーブル導入部８０は、光ファイバケーブルを光配線ユニットの筐体内に導入する部材である。図１に示すように、本実施形態のケーブル導入部８０は、筐体１１の後部に設けられている。また、ケーブル導入部８０には、分岐部２が取り付けられている。分岐部２により複数心を有する基幹光ファイバケーブル１が単心毎の内部側光ファイバケーブル３に分岐され、内部側光ファイバケーブル３の束は、ケーブル導入部８０に設けられた導入開口部８１から筐体１１の内部に導入されている。
【００３５】
＜ケーブル導入部８０＞
図２は、本実施形態のケーブル導入部８０の斜視図である。図３Ａは、本実施形態のケーブル導入部８０の正面図である。図３Ｂは、図３ＡのＡ−Ａ線における断面図である。なお、図３Ａは、左右方向に対して傾斜して設けられているプレート本体８４（可動プレート部８２）を正面から見た図を示している。また、図３Ｂでは、分岐部２が取り付けられているプレート本体８４（可動プレート部８２）部分を破線で示している。
【００３６】
前述したように、ケーブル導入部８０は、光ファイバケーブルを光配線ユニットの筐体内に導入する部材である。ケーブル導入部８０は、可動プレート部８２と、ヒンジ機構８３とを有する。また、ケーブル導入部８０には、可動プレート部８２とヒンジ機構８３とで囲まれた範囲が導入開口部８１として形成されている。
【００３７】
可動プレート部８２は、光配線ユニットの筐体内に導入される光ファイバケーブルを固定する部材である。また、可動プレート部８２は、光配線ユニットをラックに設置する際に、光ファイバケーブルを固定したまま筐体に対して回転することで、光ファイバケーブルの延び出る方向を変えることができる部材でもある。図２に示すように、本実施形態の可動プレート部８２は、光配線ユニット１０の筐体１１の後側（背面側）に設けられている。そして、可動プレート部８２の下部には、ヒンジ機構８３が設けられている。なお、後述するように、可動プレート部８２は、ヒンジ機構８３の軸部８７を軸とする回転が可能となっている。
【００３８】
また、図２に示すように、本実施形態の可動プレート部８２には、分岐部２が取り付けられている。分岐部２は、複数心の光ファイバを有する光ファイバケーブルを、単心の光ファイバケーブル毎に分岐する部材である。本実施形態では、分岐部２によって、複数心を有する基幹光ファイバケーブル１が単心の内部側光ファイバケーブル３毎に分岐されている。また、基幹光ファイバケーブル１は、分岐部２の上部から分岐部２内に導入され、分岐部２内で複数の内部側光ファイバケーブル３に分岐されている。そして、分岐部２内で分岐された複数の内部側光ファイバケーブル３は、分岐部２の下部から分岐部２外に引き出されている。なお、基幹光ファイバケーブル１及び複数の内部側光ファイバケーブル３は、分岐部２を介して可動プレート部８２に対して固定されている。また、複数の内部側光ファイバケーブル３は、可動プレート部８２とヒンジ機構８３とで囲まれた範囲である導入開口部８１を通じて光配線ユニット１０の筐体１１内に導入されている。
【００３９】
前述したように、分岐部２が可動プレート部８２に取り付けられていることで、光ファイバケーブルの光配線ユニット１０の筐体１１の内部への導入を容易にすることができる。つまり、本実施形態では、可動プレート部８２に取り付けられた分岐部２によって、基幹光ファイバケーブル１から、より曲げやすい単心の内部側光ファイバケーブル３に分岐している。このため、可動プレート部８２の下部に形成された導入開口部８１を介して光配線ユニット１０の筐体１１の内部へ導入する光ファイバケーブルとして、より曲げやすい単心の内部側光ファイバケーブル３とすることで、導入を容易にすることができる。
【００４０】
可動プレート部８２は、プレート本体８４と、ロック部８８とを有する。
【００４１】
プレート本体８４は、光配線ユニットの筐体内に導入される光ファイバケーブルを固定する部位である。本実施形態では、プレート本体８４に分岐部２が取り付けられており、分岐部２を介して基幹光ファイバケーブル１及び複数の内部側光ファイバケーブル３がプレート本体８４に対して固定されている。プレート本体８４は、光配線ユニット１０の筐体１１の後側（背面側）に設けられた板状の部位である。図３Ａに示すように、プレート本体８４の下部は、中央部分が切り欠かれている。この切り欠かれた部分とヒンジ機構８３の軸部８７とで囲まれる範囲が導入開口部８１となる。図３Ａに示すように、導入開口部８１では、分岐部２により基幹光ファイバケーブル１から分岐された複数の内部側光ファイバケーブル３が筐体１１の内部に導入されている。
【００４２】
図３Ａに示すように、本実施形態では、プレート本体８４には、前述した導入開口部８１の左右両側に、一対の脚部９０（脚部９０Ａ及び脚部９０Ｂ）が設けられている。一対の脚部９０の下側の端部は、それぞれヒンジ機構８３のプレート側ヒンジ部材８５（プレート側ヒンジ部材８５Ａ及びプレート側ヒンジ部材８５Ｂ）が接続されている。なお、脚部９０Ａとプレート側ヒンジ部材８５Ａ（及び脚部９０Ｂとプレート側ヒンジ部材８５Ｂ）とは、それぞれ一体的に形成されてもよい。
【００４３】
図３Ｂに示すように、本実施形態では、プレート本体８４は、左右方向に対して傾斜して設けられている。また、プレート本体８４の一部である一対の脚部９０（脚部９０Ａ及び脚部９０Ｂ）も、左右方向に対して傾斜して設けられている。後述する図７に示すように、光配線ユニット１０をラックに設置する際、本実施形態では、光配線ユニット１０において引き出し部１２が設けられている側である前側を正面にして、ラック７に対して設置することになる。このとき、光配線ユニット１０において分岐部２が設けられている側である後側はラック７の背面側となり、多数の配線が引き回されていることがあるため、分岐部２をラック７の背面側から見ることが難しい場合がある。そこで、図３Ｂに示すようにプレート本体８４が左右方向に対して傾斜して設けられていることで、光配線ユニット１０の側面側（本実施形態では左から右に向かう側）から、プレート本体８４に取り付けられている分岐部２部分を見やすくすることができる。
【００４４】
また、後述する図７に示すように、引き出し部１２が設けられている側である前側を正面とするため、光配線ユニット１０をラック７に設置する際においては、光配線ユニット１０を移動させる方向（後方向）は引き出し部１２の押し込み方向と同じ方向となる。なお、光配線ユニット１０をラックから撤去する際においては、光配線ユニット１０を移動させる方向（前方向）は引き出し部１２の引き出し方向と同じ方向である。すなわち、光配線ユニット１０のラックに対する設置作業又はラックからの撤去作業においては、光配線ユニット１０を引き出し部１２の押し込み方向又は引き出し部１２の引き出し方向に移動させることになる。そうすると、本実施形態のプレート本体８４（可動プレート部８２）は、引き出し部１２の引き出し方向又は引き出し部１２の押し込み方向に垂直な方向（左右方向）に対して傾斜して設けられていることになる。なお、本実施形態では、プレート本体８４（可動プレート部８２）が、左側を向くように傾斜しているが、プレート本体８４が向く方向はこれに限られない。プレート本体８４（可動プレート部８２）が、引き出し部１２の引き出し方向又は引き出し部１２の押し込み方向に垂直な方向（左右方向）に対して傾斜して設けられていれば良い。
【００４５】
ロック部８８は、可動プレート部８２を筐体１１に対して固定する部材である。本実施形態では、ロック部８８は、プレート本体８４の上部に設けられている。さらに、ロック部８８は、左右に一対設けられている。後述するように、可動プレート部８２は、ヒンジ機構８３によって軸部８７を中心として回転可能に設けられている。このため、可動プレート部８２をロック部８８によって筐体１１に対して固定することにより、可動プレート部８２の回転を規制することができる。本実施形態のロック部８８では、ねじ留めにより可動プレート部８２を筐体１１に対して固定している。但し、ロック部８８は、ねじ留めに限られるものではなく、可動プレート部８２を筐体１１に対して固定できるものであれば良い。また、ロック部８８が設けられなくても良い。
【００４６】
ヒンジ機構８３は、可動プレート部８２を回転可能にする部材である。図２に示すように、本実施形態のヒンジ機構８３は、光配線ユニット１０の筐体１１の後側（背面側）に設けられている。そして、ヒンジ機構８３の上部には、可動プレート部８２が設けられている。
【００４７】
ヒンジ機構８３は、プレート側ヒンジ部材８５と、筐体側ヒンジ部材８６と、軸部８７とを有する。ヒンジ機構８３は、プレート側ヒンジ部材８５と筐体側ヒンジ部材８６とが、軸部８７を軸として互いに回転可能に設けられている機構である。本実施形態のヒンジ機構８３では、筐体側ヒンジ部材８６が、筐体１１に固定され、さらに、軸部８７も筐体側ヒンジ部材８６を介して筐体１１に固定されている。このため、本実施形態のヒンジ機構８３では、プレート側ヒンジ部材８５が、軸部８７を軸として筐体１１に対して回転可能に設けられている機構である。
【００４８】
プレート側ヒンジ部材８５は、ヒンジ機構において可動側（回転側）となる部材である。プレート側ヒンジ部材８５は、左右一対設けられ、それぞれプレート本体８４（可動プレート部８２）の一対の脚部９０の下側の端部に接続されている。また、プレート側ヒンジ部材８５Ａと脚部９０Ａ（及びプレート側ヒンジ部材８５Ｂと脚部９０Ｂ）とは、それぞれ一体的に形成されてもよい。本実施形態では、プレート側ヒンジ部材８５には、軸部８７が挿通されている。このため、プレート側ヒンジ部材８５は、軸部８７を軸として回転することができるように設けられている。なお、後述するように軸部８７は左右方向に延在しているので、プレート側ヒンジ部材８５は、左右方向を軸として回転することになる。これにより、プレート側ヒンジ部材８５の上部に設けられた可動プレート部８２を筐体１１に対して回転させることができる。そして、後述する図６及び図７に示すように、光配線ユニット１０をラック７に設置する際に、基幹光ファイバケーブル１を固定したまま筐体１１に対して回転することで、基幹光ファイバケーブル１の延び出る方向を前後方向に変えることができる。
【００４９】
筐体側ヒンジ部材８６は、ヒンジ機構において固定側となる部材である。筐体側ヒンジ部材８６は、左右一対設けられ、それぞれ筐体１１に接続されている。また、一対の筐体側ヒンジ部材８６は、左右方向において一対のプレート側ヒンジ部材８５の外側に設けられている。そして、一対の筐体側ヒンジ部材８６の間に軸部８７が設けられている。
【００５０】
軸部８７は、ヒンジ機構の回転の軸となる部材である。本実施形態の軸部８７は、一対の筐体側ヒンジ部材８６の間において左右方向に延在する部材である。つまり、本実施形態の軸部８７は、引き出し部１２の引き出し方向又は引き出し部１２の押し込み方向に垂直な方向（左右方向）に設けられていることになる。前述したように、プレート本体８４（可動プレート部８２）は、左右方向に対して傾斜して設けられている。しかし、軸部８７は、左右方向に延在する部材であり、プレート側ヒンジ部材８５が軸部８７を軸として回転可能に設けられている。このため、本実施形態では、左右方向に対して傾斜して設けられたプレート本体８４（可動プレート部８２）は、左右方向に延在する軸部８７を軸として回転可能となっている。つまり、プレート本体８４（可動プレート部８２）が回転して、引き出し部１２の押し込み方向（後側）に倒すことが可能となり、基幹光ファイバケーブル１の延び出る方向を後方向に変えることができる。
【００５１】
なお、図３Ｂに示すように、プレート側ヒンジ部材８５は、プレート本体８４（可動プレート部８２）に対して互いに反対側に設けられており、それぞれ軸部８７が挿通している。つまり、プレート側ヒンジ部材８５Ａは、プレート本体８４（可動プレート部８２）に対して後側に設けられている。一方、プレート側ヒンジ部材８５Ｂは、プレート本体８４（可動プレート部８２）に対して前側に設けられている。そして、プレート側ヒンジ部材８５Ａ及びプレート側ヒンジ部材８５Ｂそれぞれに対して、軸部８７が挿通している。これにより、可動プレート部８２が、引き出し部１２の引き出し方向に垂直な方向又は引き出し部１２の押し込み方向に垂直な方向（左右方向）に対して傾斜して設けられると共に、可動プレート部８２が回転する軸部８７の方向は、引き出し部１２の引き出し方向に垂直な方向又は引き出し部１２の押し込み方向に垂直な方向（左右方向）とすることができる。可動プレート部８２の回転した後の様子については後述する。
【００５２】
＜比較例における光配線ユニット１０の取り付け＞
以下の説明では、比較例のケーブル導入部８０が設けられた光配線ユニット１０について説明する。本比較例では、ケーブル導入部８０が設けられる位置がそれぞれ異なる光配線ユニット１０について複数例挙げている。
【００５３】
・第１比較例
図４は、第１比較例のケーブル導入部８０が設けられた光配線ユニット１０の図である。第１比較例のケーブル導入部８０は、光配線ユニット１０の筐体１１の上部に設けられており、ケーブル導入部８０において基幹光ファイバケーブル１が筐体１１の内部に導入されている。また、図４では、第１比較例のケーブル導入部８０が設けられた光配線ユニット１０をラックに設置する様子を示している。図４では、上下方向に並んで光配線ユニット１０をラックに設置するために、上側には既にラックに設置された光配線ユニット１０を図示しており、この光配線ユニット１０の下側に、別の光配線ユニット１０をラックに設置する様子を示している。
【００５４】
前述したように、第１比較例のケーブル導入部８０は、光配線ユニット１０の筐体１１の上部に設けられている。このため、基幹光ファイバケーブル１が筐体１１の上部から上方向に延び出ることになる。上下方向に並んで光配線ユニット１０をラックに設置する際には、上部に延び出た基幹光ファイバケーブル１を収容する空間を確保する必要がある。つまり、光配線ユニット１０の上部に延び出た基幹光ファイバケーブル１を収容する空間を確保するために、光配線ユニット１０同士の上下方向の間隔を所定量Ｄだけ離す必要がある。このため、ラックに対して光配線ユニット１０を高密度に配置しようとしても、基幹光ファイバケーブル１を収容するための間隔Ｄを確保するために、複数の光配線ユニット１０を上下方向に近接させることには限界があった。また、図４に示すように、基幹光ファイバケーブル１を収容するために、基幹光ファイバケーブル１に曲げＲを加えることで、基幹光ファイバケーブル１の内部の光ファイバの曲げ損失を増大させてしまう恐れがあった。さらに、既にラックに設置された光配線ユニット１０の下側に、別の光配線ユニット１０をラックに設置しようとする際、間隔Ｄが小さいと、別の光配線ユニット１０の上部から延び出た基幹光ファイバケーブル１が、既にラックに設置された光配線ユニット１０に干渉してしまう恐れもあった。
【００５５】
・第２比較例
図５Ａは、第２比較例のケーブル導入部８０が設けられた光配線ユニット１０の図である。第２比較例のケーブル導入部８０は、光配線ユニット１０の筐体１１後部に設けられており、ケーブル導入部８０において基幹光ファイバケーブル１が筐体１１の内部に導入されている。第２比較例のケーブル導入部８０は、光配線ユニット１０の筐体１１の後部に設けられているため、基幹光ファイバケーブル１が筐体１１の後部から後方向に延び出ることになる。光配線ユニット１０をラックに設置する際には、後部に延び出た基幹光ファイバケーブル１を収容する空間をラック７との間に確保する必要がある。つまり、光配線ユニット１０の後部に延び出た基幹光ファイバケーブル１を収容する空間を確保するために、光配線ユニット１０とラックとの前後方向の間隔を所定量Ｄだけ離す必要がある。このため、ラックに対して光配線ユニット１０を高密度に配置しようとしても、基幹光ファイバケーブル１を収容するための間隔Ｄを確保するために、光配線ユニット１０をラックに対して前後方向に近接させることには限界があった。また、図５Ａに示すように、基幹光ファイバケーブル１を収容するために、基幹光ファイバケーブル１に曲げＲを加えることで、基幹光ファイバケーブル１の内部の光ファイバの曲げ損失を増大させてしまう恐れがあった。
【００５６】
・第３比較例
図５Ｂは、第３比較例のケーブル導入部８０が設けられた光配線ユニット１０の図である。第３比較例のケーブル導入部８０は、光配線ユニット１０の筐体１１の左側部に設けられており、ケーブル導入部８０において基幹光ファイバケーブル１が筐体１１の内部に導入されている。第３比較例のケーブル導入部８０は、光配線ユニット１０の筐体１１の左側部に設けられているため、基幹光ファイバケーブル１が筐体１１の側部から左方向に延び出ることになる。光配線ユニット１０をラックに設置する際には、左側部に延び出た基幹光ファイバケーブル１を収容する空間をラック７との間に確保する必要がある。つまり、光配線ユニット１０の左側部に延び出た基幹光ファイバケーブル１を収容する空間を確保するために、光配線ユニット１０とラックとの左右方向の間隔を所定量Ｄだけ離す必要がある。このため、ラックに対して光配線ユニット１０を高密度に配置しようとしても、基幹光ファイバケーブル１を収容するための間隔Ｄを確保するために、光配線ユニット１０をラックに対して左右方向に近接させることには限界があった。また、図５Ｂに示すように、基幹光ファイバケーブル１を収容するために、基幹光ファイバケーブル１に曲げＲを加えることで、基幹光ファイバケーブル１の内部の光ファイバの曲げ損失を増大させてしまう恐れがあった。
【００５７】
＜本実施形態における光配線ユニット付きラックの製造方法＞
図６は、本実施形態のケーブル導入部８０が設けられた光配線ユニット１０をラックに取り付ける様子を示す側面図である。図６に示す３台の光配線ユニット１０のうち、上側と下側の光配線ユニット１０では、既にラックへ設置された様子を示している。また、中央の光配線ユニット１０では、既にラックに設置された上下の光配線ユニット１０の間に設置する際の様子を示している。本実施形態のケーブル導入部８０は、光配線ユニット１０の筐体１１の後部に設けられている。そして、基幹光ファイバケーブル１がケーブル導入部８０に取り付けられた分岐部２の上部から上方向に延び出ることになる。このため、既にラックへ設置された光配線ユニット１０については、基幹光ファイバケーブル１に曲げを加える必要はなく、基幹光ファイバケーブル１の収容部分が前後方向に小さいので、光配線ユニット１０をラックに対して後側に近接させることができる。このため、光配線ユニット１０をラックに対して高密度に設置することができる。
【００５８】
中央の光配線ユニット１０を既にラックに設置された上下の光配線ユニット１０の間に設置する際、作業者は、ロック部８８のねじ留めを緩めて、可動プレート部８２を筐体１１に対して回転可能にする。そうすると、軸部８７を軸として、可動プレート部８２を筐体１１に対して回転させ、可動プレート部８２を後側に倒すことができる。これにより、可動プレート部８２に取り付けられた分岐部２も回転するので、基幹光ファイバケーブル１が分岐部２から後方向に延び出ることになる。基幹光ファイバケーブル１が延び出る後方向を、光配線ユニット１０のラックへの設置方向（後方向）と同一方向にすることができるので、基幹光ファイバケーブル１が上下の光配線ユニット１０と干渉することを抑制することができる。このため、光配線ユニット１０のラックへの設置作業を容易にすることができる。
【００５９】
図７は、本実施形態のケーブル導入部８０が設けられた光配線ユニット１０をラックに取り付ける様子を示す平面図である。前述したように、プレート本体８４（可動プレート部８２）は、左右方向に対して傾斜して設けられている。しかし、軸部８７は、左右方向に延在する部材であり、プレート側ヒンジ部材８５が軸部８７を軸として回転可能に設けられている。これにより、プレート本体８４（可動プレート部８２）が回転して、ラックへの設置方向（後側）に倒すことが可能となる。こうすることで、プレート本体８４（可動プレート部８２）がラックに対して干渉することを抑制することができる。つまり、可動プレート部８２を開いたまま光配線ユニット１０をラックへ設置する際に、可動プレート部８２がラックに対して干渉することを抑制することができる。
【００６０】
＜変形例における光配線ユニット付きラックの製造方法＞
図８は、本実施形態の変形例のケーブル導入部８０が設けられた光配線ユニット１０をラックに取り付ける様子を示す側面図である。前述した本実施形態の光配線ユニット１０では、分岐部２がケーブル導入部８０の可動プレート部８２に取り付けられていた。しかし、本変形例のケーブル導入部８０が設けられた光配線ユニット１０では、分岐部２が、光配線ユニット１０の筐体１１の内部に設けられても良い。このとき、可動プレート部８２には、基幹光ファイバケーブル１を可動プレート部８２に対して固定するケーブル固定部８９が設けられている。この場合、可動プレート部８２を閉じた状態の際には、基幹光ファイバケーブル１に曲げが加えられることになる。したがって、基幹光ファイバケーブル１よりも径が小さい内部側光ファイバケーブル３に曲げを加える場合と比べて、曲げを加えにくくなる。このため、可動プレート部８２を開閉させる力が増大してしまう。しかし、本変形例においても、ラックに対して高密度に光配線ユニット１０を配置する際に、基幹光ファイバケーブル１が延び出る方向（後方向）を光配線ユニット１０のラックへの設置方向（後方向）と同一方向にすることができるので、光配線ユニット１０のラックへの設置作業を容易にすることができる。
【００６１】
＝＝＝その他の実施形態＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００６２】
１  基幹光ファイバケーブル、２  分岐部、
３  内部側光ファイバケーブル、４  内部側光コネクタプラグ（内部側光プラグ）、
５  作業側光コネクタプラグ（作業側光プラグ）、６  作業側光ファイバケーブル、
７  ラック、１０  光配線ユニット（光接続箱）、１１  筐体、
１２  引き出し部、１６  光コネクタアダプタ（光アダプタ、光コネクタ接続部）、
２０  光ファイバケーブル保持具、４０  配線識別ユニット、
４２  識別部、４４  識別マーク、５０  スライド機構、６０  連結機構、
８０  ケーブル導入部、８１  導入開口部、８２  可動プレート部、
８３  ヒンジ機構、８４  プレート本体、
８５  プレート側ヒンジ部材、８６  筐体側ヒンジ部材、８７  軸部、
８８  ロック部、８９  ケーブル固定部、９０  脚部
【図１】
2019139181.tif 000003
【図２】
2019139181.tif 000004
【図３】
2019139181.tif 000005
【図４】
2019139181.tif 000006
【図５】
2019139181.tif 000007
【図６】
2019139181.tif 000008
【図７】
2019139181.tif 000009
【図８】
2019139181.tif 000010